(57)【特許請求の範囲】
【請求項１】
加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムにおいて、
前記回線接続制御装置は、優先接続する順位を示す優先接続クラスデータ及び加入者を特定するための加入者識別情報を対応づけて予め登録しておき、かつ緊急を要する特定の相手先の電話番号を予め登録しておくと共に、通常の運用状態では加入者の発呼に対し割り当てず、緊急を要する呼である緊急呼のために使用する予約無線チャネルを設けておき、無線チャネルが輻輳状態のときに新たに加入者より発呼要求が有った場合に、既に通話中の呼のうち今回の発呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記発呼要求のあった呼に割り当て、
また既に通話中の呼のうちに今回の発呼加入者より優先接続クラスが低く、かつ非緊急呼である加入者の呼がない場合には、前記予約無線チャネルを前記発呼要求のあった呼に一旦、割り当て、該発呼要求の有った呼が、緊急呼である場合にはその呼を継続させ、かつ現在通話中の呼のうち非緊急呼で、かつ最も優先接続クラスが低い呼のいずれかに割り当てられた無線チャネルを強制的に切断して解放し、前記発呼要求の有った呼が、非緊急呼である場合には前記一旦、割り当てた予約無線チャネルを強制的に切断し、解放することを特徴とする無線加入者システム。
【請求項２】
前記回線接続制御装置は、無線チャネルが輻輳状態のときに新たに加入者への着呼が有った場合に、既に通話中の呼のうち今回の着呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記着呼に割り当て、
また既に通話中の呼のうちに今回の着呼加入者より優先接続クラスが低く、かつ非緊急呼である加入者の呼がない場合には、前記着呼を拒否することを特徴とする請求項１に記載の無線加入者システム。
【請求項３】
加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムにおいて、
前記加入者無線装置は、加入者が発呼する際に前記回線接続制御装置に対して加入者識別情報を含む発呼要求メッセージを送出し、前記回線接続制御装置は、前記加入者無線装置から受信した発呼要求メッセージから、または加入者への着呼が発生した際に交換機から加入者回線に出力される呼出信号から加入者識別情報を抽出する加入者識別情報抽出手段と、
緊急を要する特定の相手先の電話番号及び緊急を要する呼である緊急呼のために使用する予約無線チャネル数、及び無線加入者システムにより設定可能な全無線チャネル数が予め登録されると共に、現在使用中の無線チャネル数を記憶する第１の記憶手段と、
加入者を特定する加入者識別情報と、無線チャネルの接続における優先順位を示す優先接続クラスデータとが対応づけて予め登録されている第２の記憶手段と、
加入者識別情報と、該加入者識別情報に対応づけて通話中の呼の優先接続クラスを示す識別情報及び緊急呼であるか非緊急呼であるかを示す識別情報を記憶する第３の記憶手段と、
前記第１の記憶手段に記憶されている前記予約チャネル数、全無線チャネル数及び現在使用中の無線チャネル数の各データに基づいて前記無線チャネルが輻輳状態であるか否かを判定し、前記無線チャネルが輻輳状態のときに発呼要求が有った場合に前記発呼要求に基づいてダイヤルされた電話番号が、前記第１の記憶手段に登録された緊急を要する特定の相手先の電話番号と一致するか否かにより前記発呼が緊急呼であるか否かを判定し、該判定結果を前記第３の記憶手段に登録する第１の判定手段と、
前記加入者識別情報抽出手段により抽出された前記発呼要求した加入者の加入者識別情報に基づいて該加入者の優先接続クラスを示す識別情報を前記第２の記憶手段から検索し、前記発呼要求した加入者の優先接続クラスを判定し、該判定結果を前記第３の記憶手段に登録する第２の判定手段と、
無線チャネルが輻輳状態のときに新たに加入者より発呼要求が有った場合に、前記第３の記憶手段の記憶内容に基づいて、既に通話中の呼のうち今回の発呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記発呼要求のあった呼に割り当て、また既に通話中の呼のうちに今回の発呼加入者より優先接続クラスが低く、かつ非緊急呼である加入者の呼がない場合には、前記複数の予約無線チャネルのうちの１つを前記発呼要求のあった呼に一旦、割り当て、前記第１の判定手段により前記発呼要求の有った呼が、緊急呼であると判定された場合にはその呼を継続させ、かつ現在通話中の呼のうち非緊急呼で、かつ最も優先接続クラスが低い呼のいずれかに割り当てられた無線チャネルを強制的に切断して解放し、前記第１の判定手段により前記発呼要求の有った呼が、非緊急呼であると判定された場合には前記一旦、割り当てた予約無線チャネルを強制的に切断し、解放するように制御する無線チャネル接続制御手段と、を有することを特徴とする無線加入者システム。
【請求項４】
加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムにおいて、
前記加入者無線装置は、加入者が発呼する際に前記回線接続制御装置に対して加入者識別情報を含む発呼要求メッセージを送出し、前記回線接続制御装置は、前記加入者無線装置から受信した発呼要求メッセージから、または加入者への着呼が発生した際に交換機から加入者回線に出力される呼出信号から加入者識別情報を抽出する加入者識別情報抽出手段と、
緊急を要する特定の相手先の電話番号及び緊急呼のために使用する予約無線チャネル数、及び無線加入者システムにより設定可能な全無線チャネル数が予め登録されると共に、現在使用中の無線チャネル数を記憶する第１の記憶手段と、
加入者を特定する加入者識別情報と、無線チャネルの接続における優先順位を示す優先接続クラスデータとが対応づけて予め登録されている第２の記憶手段と、
前記加入者識別情報と、該加入者識別情報に対応づけて通話中の呼の優先接続クラスを示す識別情報及び緊急呼であるか非緊急呼であるかを示す識別情報を記憶する第３の記憶手段と、
前記第１の記憶手段に記憶されている前記予約チャネル数、全無線チャネル数及び現在使用中の無線チャネル数の各データに基づいて前記無線チャネルが輻輳状態であるか否かを判定し、前記無線チャネルが輻輳状態のときに発呼要求が有った場合に前記発呼要求に基づいてダイヤルされた電話番号が、前記第１の記憶手段に登録された緊急を要する特定の相手先の電話番号と一致するか否かにより前記発呼が緊急呼であるか否かを判定し、該判定結果を前記第３の記憶手段に登録する第１の判定手段と、
前記加入者識別情報抽出手段により抽出された着呼または発呼要求があった加入者の加入者識別情報に基づいて該加入者の優先接続クラスデータを前記第２の記憶手段から検索し、前記発呼要求した加入者の優先接続クラスを判定し、該判定結果を前記第３の記憶手段に登録する第２の判定手段と、
無線チャネルが輻輳状態のときに新たに加入者への着呼が有った場合に、前記第３の記憶手段の記憶内容に基づいて、既に通話中の呼のうち今回の着呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記着呼に割り当て、また既に通話中の呼のうちに今回の着呼加入者より優先接続クラスが低く、かつ非緊急呼である加入者の呼がない場合には、前記着呼を拒否するように制御する無線チャネル接続制御手段と、
を有することを特徴とする無線加入者システム。
【請求項５】
加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムの回線接続制御装置において、
該回線接続制御装置は、優先接続する順位を示す優先接続クラスデータ及び加入者を特定するための加入者識別情報を対応づけて予め登録しておき、かつ緊急を要する特定の相手先の電話番号を予め登録しておくと共に、通常の運用状態では加入者の発呼に対し割り当てず、緊急を要する呼である緊急呼のために使用する予約無線チャネルを設けておき、無線チャネルが輻輳状態のときに新たに加入者より発呼要求が有った場合に、既に通話中の呼のうち今回の発呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記発呼要求のあった呼に割り当て、
また既に通話中の呼のうちに今回の発呼加入者より優先接続クラスが低く、かつ非緊急呼である加入者の呼がない場合には、前記予約無線チャネルを前記発呼要求のあった呼に一旦、割り当て、該発呼要求の有った呼が、緊急呼である場合にはその呼を継続させ、かつ現在通話中の呼のうち非緊急呼で、かつ最も優先接続クラスが低い呼のいずれかに割り当てられた無線チャネルを強制的に切断して解放し、前記発呼要求の有った呼が、非緊急呼である場合には前記一旦、割り当てた予約無線チャネルを強制的に切断し、解放することを特徴とする無線加入者システムの回線接続制御装置。
【請求項６】
前記回線接続制御装置は、無線チャネルが輻輳状態のときに新たに加入者への着呼が有った場合に、既に通話中の呼のうち今回の着呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記着呼に割り当て、また既に通話中の呼のうちに今回の着呼加入者より優先接続クラスが低く、かつ非緊急呼である加入者の呼がない場合には、前記着呼を拒否することを特徴とする請求項５に記載の無線加入者システムの回線接続制御装置。
【請求項７】
加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムの回線接続制御装置において、
前記回線接続制御装置は、前記加入者無線装置から受信した加入者識別情報を含む発呼要求メッセージから、または加入者への着呼が発生した際に交換機から加入者回線に出力される呼出信号から加入者識別情報を抽出する加入者識別情報抽出手段と、
緊急を要する特定の相手先の電話番号及び緊急を要する呼である緊急呼のために使用する予約無線チャネル数、及び無線加入者システムにより設定可能な全無線チャネル数が予め登録されると共に、現在使用中の無線チャネル数を記憶する第１の記憶手段と、
加入者を特定する加入者識別情報と、無線チャネルの接続における優先順位を示す優先接続クラスデータとが対応づけて予め登録されている第２の記憶手段と、
加入者識別情報と、該加入者識別情報に対応づけて通話中の呼の優先接続クラスを示す識別情報及び緊急呼であるか非緊急呼であるかを示す識別情報を記憶する第３の記憶手段と、
前記第１の記憶手段に記憶されている前記予約チャネル数、全無線チャネル数及び現在使用中の無線チャネル数の各データに基づいて前記無線チャネルが輻輳状態であるか否かを判定し、前記無線チャネルが輻輳状態のときに発呼要求が有った場合に前記発呼要求に基づいてダイヤルされた電話番号が、前記第１の記憶手段に登録された緊急を要する特定の相手先の電話番号と一致するか否かにより前記発呼が緊急呼であるか否かを判定し、該判定結果を前記第３の記憶手段に登録する第１の判定手段と、
前記加入者識別情報抽出手段により抽出された前記発呼要求した加入者の加入者識別情報に基づいて該加入者の優先接続クラスを示す識別情報を前記第２の記憶手段から検索し、前記発呼要求した加入者の優先接続クラスを判定し、該判定結果を前記第３の記憶手段に登録する第２の判定手段と、
無線チャネルが輻輳状態のときに新たに加入者より発呼要求が有った場合に、前記第３の記憶手段の記憶内容に基づいて、既に通話中の呼のうち今回の発呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記発呼要求のあった呼に割り当て、また既に通話中の呼のうちに今回の発呼加入者より優先接続クラスが低く、かつ非緊急呼である加入者の呼がない場合には、前記複数の予約無線チャネルのうちの１つを前記発呼要求のあった呼に一旦、割り当て、前記第１の判定手段により前記発呼要求の有った呼が、緊急呼であると判定された場合にはその呼を継続させ、かつ現在通話中の呼のうち非緊急呼で、かつ最も優先接続クラスが低い呼のいずれかに割り当てられた無線チャネルを強制的に切断して解放し、前記第１の判定手段により前記発呼要求の有った呼が、非緊急呼であると判定された場合には前記一旦、割り当てた予約無線チャネルを強制的に切断し、解放するように制御する無線チャネル接続制御手段と、を有することを特徴とする無線加入者システムの回線接続制御装置。
【請求項８】
加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムの回線接続制御装置において、
前記回線接続制御装置は、前記加入者無線装置から受信した加入者識別情報を含む発呼要求メッセージから、または加入者への着呼が発生した際に交換機から加入者回線に出力される呼出信号から加入者識別情報を抽出する加入者識別情報抽出手段と、
緊急を要する特定の相手先の電話番号及び緊急呼のために使用する予約無線チャネル数、及び無線加入者システムにより設定可能な全無線チャネル数が予め登録されると共に、現在使用中の無線チャネル数を記憶する第１の記憶手段と、
加入者を特定する加入者識別情報と、無線チャネルの接続における優先順位を示す優先接続クラスデータとが対応づけて予め登録されている第２の記憶手段と、
前記加入者識別情報と、該加入者識別情報に対応づけて通話中の呼の優先接続クラスを示す識別情報及び緊急呼であるか非緊急呼であるかを示す識別情報を記憶する第３の記憶手段と、
前記第１の記憶手段に記憶されている前記予約チャネル数、全無線チャネル数及び現在使用中の無線チャネル数の各データに基づいて前記無線チャネルが輻輳状態であるか否かを判定し、前記無線チャネルが輻輳状態のときに発呼要求が有った場合に前記発呼要求に基づいてダイヤルされた電話番号が、前記第１の記憶手段に登録された緊急を要する特定の相手先の電話番号と一致するか否かにより前記発呼が緊急呼であるか否かを判定し、該判定結果を前記第３の記憶手段に登録する第１の判定手段と、
前記加入者識別情報抽出手段により抽出された着呼または発呼要求があった加入者の加入者識別情報に基づいて該加入者の優先接続クラスデータを前記第２の記憶手段から検索し、前記発呼要求した加入者の優先接続クラスを判定し、該判定結果を前記第３の記憶手段に登録する第２の判定手段と、
無線チャネルが輻輳状態のときに新たに加入者への着呼が有った場合に、前記第３の記憶手段の記憶内容に基づいて、既に通話中の呼のうち今回の着呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記着呼に割り当て、また既に通話中の呼のうちに今回の着呼加入者より優先接続クラスが低く、かつ非緊急呼である加入者の呼がない場合には、前記着呼を拒否するように制御する無線チャネル接続制御手段と、を有することを特徴とする無線加入者システムの回線接続制御装置。
【発明の詳細な説明】
【０００１】
【発明の属する技術分野】
本発明は、公衆交換電話網（ＰＳＴＮ（Public Switched Telephone Network））のうち、交換機から加入者宅内までの間の加入者回線を、無線化した、所謂ワイヤレス・ローカル・ループ（ＷＬＬ（Wireless Local Loop））と称する、無線加入者システムに係り、特に無線加入者システム、無線加入者システムの回線接続制御装置に関する。
【０００２】
【従来の技術】
公衆交換電話網のうち交換機から加入者宅までの間に位置する集線システムは一般的にアクセスネットワーク（Access Network）と呼ばれており、アクセスネットワークに無線システムを導入したものがワイヤレス・ローカル・ループシステムと呼ばれている。
【０００３】
この無線加入者システムは、加入者回線のオンフック／オフフック状態、音声、着信呼出等を透過的に伝えるシステムであり、交換機からの着信呼出を検出して加入者無線端末に伝えて電話の呼出を行ったり、加入者（ユーザ）が電話機の受話器を上げる（オフフック）ことにより、無線チャネル及び交換機までの通話チャネルを確立させ、通話が可能になるように構成されている。この無線加入者システムには、従来の移動電話システムを応用している場合が多い。
【０００４】
このような無線加入者システムでは、加入者回線の無線部分に使用するチャネルが輻輳している状態において、新たに別の加入者端末が発呼しようとしても無線基地局から発呼を拒否されてしまい、通話ができない。
また上記加入者回線の無線部分に使用するチャネルが輻輳している状態において、新たに別の着呼が発生しても無線基地局から着呼を拒否されてしまい、通話ができない。これは一般的に、収容する加入者回線数よりも無線加入者システムの無線チャネル数が少ないことに影響されているが、このことは、無線チャネルが輻輳状態にある場合において、ある加入者が緊急を要する相手先（例えば、警察や消防署）に電話をかけようとしても通話ができないことを意味している。また加入者への着呼があった場合にその加入者が重要な加入者、例えば、警察や重要人物であるような場合には社会的な問題が生じる可能性がある。
【０００５】
従来の無線加入者システムの構成を図１０に示す。同図において、公衆交換電話網１０ に設けられた交換機１２は加入者回線Ａ，Ｂ等の加入者線、アクセスネットワークとしての無線加入者システム２００を介して加入者宅内の電話機２１０Ａ，２１０Ｂ，…，に接続されている。無線加入者システム２００は、加入者回線を介して交換機１２と接続されている回線接続制御装置２０２と、回線接続制御装置２０２と無線チャネルを介して接続される加入者端末としての加入者無線装置ＳＵ−Ａ，ＳＵ−Ｂ，…とを有している。回線接続制御装置２０２は、無線基地局の機能を含んでいる。
【０００６】
加入者無線装置ＳＵ−Ａ，ＳＵ−Ｂ，…は、それぞれ各加入者宅内に設置され、各加入者無線装置ＳＵ−Ａ，ＳＵ−Ｂ，…には、対応する電話機２１０Ａ，２１０Ｂ，…が、それぞれ接続されている。ここで、ユーザＢは優先接続する旨、登録された加入者、または緊急を要する相手先に電話をかけようとする加入者であり、ユーザＡは優先接続する旨、登録されていない加入者、または緊急を要しない呼である非緊急呼として通話中の加入者であるとする。また、加入者Ａの宅内に設置される加入者無線装置ＳＵ−Ａは加入者回線Ａに接続され、加入者Ｂの宅内に設置される加入者無線装置ＳＵ−Ｂは加入者回線Ｂに接続されるように加入者回線と加入者無線装置は１対１に対応している。
【０００７】
無線加入者システム２００における無線チャネルが輻輳状態である場合の制御動作の一例について図１１を参照して説明する。図１１は交換機１２と回線接続制御装置２０２との間のインタフェースを２線アナログ回線とし、回線接続制御装置２０２と各加入者無線装置ＳＵ−Ａ，ＳＵ−Ｂ，…との間をＰＨＳ準拠のインタフェースとすると共に、各加入者無線装置ＳＵ−Ａ，ＳＵ−Ｂ，…と対応する各加入者電話機２１０Ａ，２１０Ｂ，…との間のインタフェースを２線アナログ回線とし、加入者回線Ｂ及びユーザＢに対して輻輳状態において着呼が発生した場合の制御シーケンスを示している。
【０００８】
上記構成において、いま加入者回線ＡとユーザＡとが通話中であり、ユーザＢへの着呼があると、交換機１２より加入者回線Ｂを介して回線接続制御装置２０２に呼出信号（Ｒｉｎｇ）が出力され、回線接続制御装置２０２は着呼メッセージ（Ｐａｇｉｎｇ）が加入者無線装置ＳＵ−Ｂに出力される。次いで加入者無線装置ＳＵ−Ｂより回線接続制御装置２０２に着呼端末の識別情報（ＰＳＩＤ）を含むリンクチャネル確立要求メッセージが出力される。
【０００９】
回線接続制御装置２０２は、無線チャネルの全てが使用中、または使用できない場合には着呼先のユーザＢへの着呼に対するリンクチャネルの割当を拒否する旨のメッセージを加入者無線装置ＳＵ−Ｂに送出する。この結果、ユーザＢへの着呼は拒否される。
【００１０】
次に無線加入者システム２００における無線チャネルが輻輳状態である場合の制御動作の他の例について図１２を参照して説明する。図１２は交換機１２と回線接続制御装置２０２との間のインタフェースを２線アナログ回線とし、回線接続制御装置２０２と各加入者無線装置ＳＵ−Ａ，ＳＵ−Ｂ，…との間をＰＨＳ準拠のインタフェースとすると共に、各加入者無線装置ＳＵ−Ａ，ＳＵ−Ｂ，…と対応する各加入者電話機２１０Ａ，２１０Ｂ，…との間のインタフェースを２線アナログ回線とし、加入者回線Ｂ及びユーザＢが、無線チャネルが輻輳状態において緊急を要する相手先に発呼しようとする場合の制御シーケンスを示している。
【００１１】
上記構成において、いま加入者回線ＡとユーザＡとが通話中であり、ユーザＢの電話機２１０Ｂがオフフックされ、発呼通知が加入者無線装置ＳＵ−Ｂに出力されると、加入者無線装置ＳＵ−Ｂより回線接続制御装置２０２に発呼端末の識別情報を含むリンクチャネル確立要求メッセージが出力される。
【００１２】
回線接続制御装置２０２では無線チャネルの全てが使用中、または使用できない場合には発呼要求元のユーザＢによる呼に対するリンクチャネルの割当を拒否する旨のメッセージを加入者無線装置ＳＵ−Ｂに送出し、加入者無線装置ＳＵ−ＢからユーザＢの電話機２１０Ｂに無線チャネルが使用中であることを示すビジートーンが送出される。この結果、ユーザＢは電話機２１０Ｂの受話器を置き（オンフック）、電話機２１０Ｂより終了信号が加入者無線装置ＳＵ−Ｂに出力される。
【００１３】
【発明が解決しようとする課題】
上述した無線加入者システムでは、無線チャネルが輻輳状態にある場合には緊急呼としての発呼要求が発生してもリンクチャネルの割当が拒否されるために、緊急呼が発生した場合に、該緊急呼に確実に無線チャネルを割り当てることができないという問題が有った。
また、電話事業者にとって、ある特定加入者への着呼が有った場合に、その加入者回線を優先して接続することが要求されることが多いが、上述した無線加入者システムでは、無線チャネルが輻輳状態にある場合にはその後に発生した加入者への着呼についてはリンクチャネルの割当が拒否されるために、上記要求を満足することができないという問題が有った。また、この状態において加入者が警察等の緊急を要する相手先に電話をかけたくても通話できない、という、問題も有った。
【００１４】
本発明はこのような事情に鑑みてなされたものであり、無線チャネルが輻輳状態であっても、緊急を要する相手先に電話する加入者からの発呼要求（緊急呼）が有った場合、あるいは優先接続すべき加入者への着呼が有った場合に、緊急呼、優先接続すべき加入者の呼のために無線チャネルを確実に割り当てることでき、通常の呼（非緊急呼）と、緊急呼及び優先接続すべき加入者の呼とを区別することなく収容することができる無線加入者システム、無線加入者システムの回線接続制御装置を提供することを目的とする。
【００１５】
【課題を解決するための手段】
上記目的を達成するために以下の手段を採用した。
【００１７】
請求項１に記載の発明は、加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムにおいて、前記回線接続制御装置は、優先接続する順位を示す優先接続クラスデータ及び加入者を特定するための加入者識別情報を対応づけて予め登録しておき、かつ緊急を要する特定の相手先の電話番号を予め登録しておくと共に、通常の運用状態では加入者の発呼に対し割り当てず、緊急を要する呼である緊急呼のために使用する予約無線チャネルを設けておき、無線チャネルが輻輳状態のときに新たに加入者より発呼要求が有った場合に、既に通話中の呼のうち今回の発呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記発呼要求のあった呼に割り当て、また既に通話中の呼のうちに今回の発呼加入者より優先接続クラスが低く、かつ非緊急呼である加入者の呼がない場合には、前記予約無線チャネルを前記発呼要求のあった呼に一旦、割り当て、該発呼要求の有った呼が、緊急呼である場合にはその呼を継続させ、かつ現在通話中の呼のうち非緊急呼で、かつ最も優先接続クラスが低い呼のいずれかに割り当てられた無線チャネルを強制的に切断して解放し、前記発呼要求の有った呼が、非緊急呼である場合には前記一旦、割り当てた予約無線チャネルを強制的に切断し、解放することを特徴とする。
【００１８】
また請求項２に記載の発明は、請求項１に記載の無線加入者システムにおいて、前記回線接続制御装置は、無線チャネルが輻輳状態のときに新たに加入者への着呼が有った場合に、既に通話中の呼のうち今回の着呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記着呼に割り当て、また既に通話中の呼のうちに今回の着呼加入者より優先接続クラスが低く、かつ非緊急呼である加入者の呼がない場合には、前記着呼を拒否することを特徴とする。
【００１９】
また請求項３に記載の発明は、加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムにおいて、前記加入者無線装置は、加入者が発呼する際に前記回線接続制御装置に対して加入者識別情報を含む発呼要求メッセージを送出し、前記回線接続制御装置は、前記加入者無線装置から受信した発呼要求メッセージから、または加入者への着呼が発生した際に交換機から加入者回線に出力される呼出信号から加入者識別情報を抽出する加入者識別情報抽出手段と、緊急を要する特定の相手先の電話番号及び緊急を要する呼である緊急呼のために使用する予約無線チャネル数、及び無線加入者システムにより設定可能な全無線チャネル数が予め登録されると共に、現在使用中の無線チャネル数を記憶する第１の記憶手段と、加入者を特定する加入者識別情報と、無線チャネルの接続における優先順位を示す優先接続クラスデータとが対応づけて予め登録されている第２の記憶手段と、加入者識別情報と、該加入者識別情報に対応づけて通話中の呼の優先接続クラスを示す識別情報及び緊急呼であるか非緊急呼であるかを示す識別情報を記憶する第３の記憶手段と、前記第１の記憶手段に記憶されている前記予約チャネル数、全無線チャネル数及び現在使用中の無線チャネル数の各データに基づいて前記無線チャネルが輻輳状態であるか否かを判定し、前記無線チャネルが輻輳状態のときに発呼要求が有った場合に前記発呼要求に基づいてダイヤルされた電話番号が、前記第１の記憶手段に登録された緊急を要する特定の相手先の電話番号と一致するか否かにより前記発呼が緊急呼であるか否かを判定し、該判定結果を前記第３の記憶手段に登録する第１の判定手段と、前記加入者識別情報抽出手段により抽出された前記発呼要求した加入者の加入者識別情報に基づいて該加入者の優先接続クラスを示す識別情報を前記第２の記憶手段から検索し、前記発呼要求した加入者の優先接続クラスを判定し、該判定結果を前記第３の記憶手段に登録する第２の判定手段と、無線チャネルが輻輳状態のときに新たに加入者より発呼要求が有った場合に、前記第３の記憶手段の記憶内容に基づいて、既に通話中の呼のうち今回の発呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記発呼要求のあった呼に割り当て、また既に通話中の呼のうちに今回の発呼加入者より優先接続クラスが低く、かつ非緊急呼である加入者の呼がない場合には、前記複数の予約無線チャネルのうちの１つを前記発呼要求のあった呼に一旦、割り当て、前記第１の判定手段により前記発呼要求の有った呼が、緊急呼であると判定された場合にはその呼を継続させ、かつ現在通話中の呼のうち非緊急呼で、かつ最も優先接続クラスが低い呼のいずれかに割り当てられた無線チャネルを強制的に切断して解放し、前記第１の判定手段により前記発呼要求の有った呼が、非緊急呼であると判定された場合には前記一旦、割り当てた予約無線チャネルを強制的に切断し、解放するように制御する無線チャネル接続制御手段と、を有することを特徴とする。
【００２０】
また請求項４に記載の発明は、加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムにおいて、前記加入者無線装置は、加入者が発呼する際に前記回線接続制御装置に対して加入者識別情報を含む発呼要求メッセージを送出し、前記回線接続制御装置は、前記加入者無線装置から受信した発呼要求メッセージから、または加入者への着呼が発生した際に交換機から加入者回線に出力される呼出信号から加入者識別情報を抽出する加入者識別情報抽出手段と、緊急を要する特定の相手先の電話番号及び緊急呼のために使用する予約無線チャネル数、及び無線加入者システムにより設定可能な全無線チャネル数が予め登録されると共に、現在使用中の無線チャネル数を記憶する第１の記憶手段と、加入者を特定する加入者識別情報と、無線チャネルの接続における優先順位を示す優先接続クラスデータとが対応づけて予め登録されている第２の記憶手段と、前記加入者識別情報と、該加入者識別情報に対応づけて通話中の呼の優先接続クラスを示す識別情報及び緊急呼であるか非緊急呼であるかを示す識別情報を記憶する第３の記憶手段と、前記第１の記憶手段に記憶されている前記予約チャネル数、全無線チャネル数及び現在使用中の無線チャネル数の各データに基づいて前記無線チャネルが輻輳状態であるか否かを判定し、前記無線チャネルが輻輳状態のときに発呼要求が有った場合に前記発呼要求に基づいてダイヤルされた電話番号が、前記第１の記憶手段に登録された緊急を要する特定の相手先の電話番号と一致するか否かにより前記発呼が緊急呼であるか否かを判定し、該判定結果を前記第３の記憶手段に登録する第１の判定手段と、前記加入者識別情報抽出手段により抽出された着呼または発呼要求があった加入者の加入者識別情報に基づいて該加入者の優先接続クラスデータを前記第２の記憶手段から検索し、前記発呼要求した加入者の優先接続クラスを判定し、該判定結果を前記第３の記憶手段に登録する第２の判定手段と、無線チャネルが輻輳状態のときに新たに加入者への着呼が有った場合に、前記第３の記憶手段の記憶内容に基づいて、既に通話中の呼のうち今回の着呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記着呼に割り当て、また既に通話中の呼のうちに今回の着呼加入者より優先接続クラスが低く、かつ非緊急呼である加入者の呼がない場合には、前記着呼を拒否するように制御する無線チャネル接続制御手段と、を有することを特徴とする。
【００２１】
請求項１、３に記載の発明によれば、無線チャネルが輻輳状態であっても、緊急を要する相手先に電話する加入者からの発呼要求が有った場合、あるいは現在通話中の非緊急呼より優先接続の順位が高い非緊急呼があった場合に、他の通話中の加入者より優先して接続することが可能となる。
【００２２】
請求項２、４に記載の発明によれば、無線チャネルが輻輳状態であっても、現在通話中の非緊急呼より優先接続の順位が高い加入者への着呼があった場合に、他の通話中の加入者より優先して接続することが可能となる。
【００２５】
また請求項５に記載の発明は、加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムの回線接続制御装置において、該回線接続制御装置は、優先接続する順位を示す優先接続クラスデータ及び加入者を特定するための加入者識別情報を対応づけて予め登録しておき、かつ緊急を要する特定の相手先の電話番号を予め登録しておくと共に、通常の運用状態では加入者の発呼に対し割り当てず、緊急を要する呼である緊急呼のために使用する予約無線チャネルを設けておき、無線チャネルが輻輳状態のときに新たに加入者より発呼要求が有った場合に、既に通話中の呼のうち今回の発呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記発呼要求のあった呼に割り当て、また既に通話中の呼のうちに今回の発呼加入者より優先接続クラスが低く、かつ非緊急呼である加入者の呼がない場合には、前記予約無線チャネルを前記発呼要求のあった呼に一旦、割り当て、該発呼要求の有った呼が、緊急呼である場合にはその呼を継続させ、かつ現在通話中の呼のうち非緊急呼で、かつ最も優先接続クラスが低い呼のいずれかに割り当てられた無線チャネルを強制的に切断して解放し、前記発呼要求の有った呼が、非緊急呼である場合には前記一旦、割り当てた予約無線チャネルを強制的に切断し、解放することを特徴とする。
【００２６】
また請求項６に記載の発明は、請求項５に記載の無線加入者システムの回線接続制御装置において、前記回線接続制御装置は、無線チャネルが輻輳状態のときに新たに加入者への着呼が有った場合に、既に通話中の呼のうち今回の着呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記着呼に割り当て、また既に通話中の呼のうちに今回の着呼加入者より優先接続クラスが低く、かつ非緊急呼である加入者の呼がない場合には、前記着呼を拒否することを特徴とする。
【００２７】
また請求項７に記載の発明は、加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムの回線接続制御装置において、前記回線接続制御装置は、前記加入者無線装置から受信した加入者識別情報を含む発呼要求メッセージから、または加入者への着呼が発生した際に交換機から加入者回線に出力される呼出信号から加入者識別情報を抽出する加入者識別情報抽出手段と、緊急を要する特定の相手先の電話番号及び緊急を要する呼である緊急呼のために使用する予約無線チャネル数、及び無線加入者システムにより設定可能な全無線チャネル数が予め登録されると共に、現在使用中の無線チャネル数を記憶する第１の記憶手段と、加入者を特定する加入者識別情報と、無線チャネルの接続における優先順位を示す優先接続クラスデータとが対応づけて予め登録されている第２の記憶手段と、加入者識別情報と、該加入者識別情報に対応づけて通話中の呼の優先接続クラスを示す識別情報及び緊急呼であるか非緊急呼であるかを示す識別情報を記憶する第３の記憶手段と、前記第１の記憶手段に記憶されている前記予約チャネル数、全無線チャネル数及び現在使用中の無線チャネル数の各データに基づいて前記無線チャネルが輻輳状態であるか否かを判定し、前記無線チャネルが輻輳状態のときに発呼要求が有った場合に前記発呼要求に基づいてダイヤルされた電話番号が、前記第１の記憶手段に登録された緊急を要する特定の相手先の電話番号と一致するか否かにより前記発呼が緊急呼であるか否かを判定し、該判定結果を前記第３の記憶手段に登録する第１の判定手段と、前記加入者識別情報抽出手段により抽出された前記発呼要求した加入者の加入者識別情報に基づいて該加入者の優先接続クラスを示す識別情報を前記第２の記憶手段から検索し、前記発呼要求した加入者の優先接続クラスを判定し、該判定結果を前記第３の記憶手段に登録する第２の判定手段と、無線チャネルが輻輳状態のときに新たに加入者より発呼要求が有った場合に、前記第３の記憶手段の記憶内容に基づいて、既に通話中の呼のうち今回の発呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記発呼要求のあった呼に割り当て、また既に通話中の呼のうちに今回の発呼加入者より優先接続クラスが低く、かつ非緊急呼である加入者の呼がない場合には、前記複数の予約無線チャネルのうちの１つを前記発呼要求のあった呼に一旦、割り当て、前記第１の判定手段により前記発呼要求の有った呼が、緊急呼であると判定された場合にはその呼を継続させ、かつ現在通話中の呼のうち非緊急呼で、かつ最も優先接続クラスが低い呼のいずれかに割り当てられた無線チャネルを強制的に切断して解放し、前記第１の判定手段により前記発呼要求の有った呼が、非緊急呼であると判定された場合には前記一旦、割り当てた予約無線チャネルを強制的に切断し、解放するように制御する無線チャネル接続制御手段と、を有することを特徴とする。
【００２８】
また請求項８に記載の発明は、加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムの回線接続制御装置において、前記回線接続制御装置は、前記加入者無線装置から受信した加入者識別情報を含む発呼要求メッセージから、または加入者への着呼が発生した際に交換機から加入者回線に出力される呼出信号から加入者識別情報を抽出する加入者識別情報抽出手段と、緊急を要する特定の相手先の電話番号及び緊急呼のために使用する予約無線チャネル数、及び無線加入者システムにより設定可能な全無線チャネル数が予め登録されると共に、現在使用中の無線チャネル数を記憶する第１の記憶手段と、加入者を特定する加入者識別情報と、無線チャネルの接続における優先順位を示す優先接続クラスデータとが対応づけて予め登録されている第２の記憶手段と、前記加入者識別情報と、該加入者識別情報に対応づけて通話中の呼の優先接続クラスを示す識別情報及び緊急呼であるか非緊急呼であるかを示す識別情報を記憶する第３の記憶手段と、前記第１の記憶手段に記憶されている前記予約チャネル数、全無線チャネル数及び現在使用中の無線チャネル数の各データに基づいて前記無線チャネルが輻輳状態であるか否かを判定し、前記無線チャネルが輻輳状態のときに発呼要求が有った場合に前記発呼要求に基づいてダイヤルされた電話番号が、前記第１の記憶手段に登録された緊急を要する特定の相手先の電話番号と一致するか否かにより前記発呼が緊急呼であるか否かを判定し、該判定結果を前記第３の記憶手段に登録する第１の判定手段と、前記加入者識別情報抽出手段により抽出された着呼または発呼要求があった加入者の加入者識別情報に基づいて該加入者の優先接続クラスデータを前記第２の記憶手段から検索し、前記発呼要求した加入者の優先接続クラスを判定し、該判定結果を前記第３の記憶手段に登録する第２の判定手段と、無線チャネルが輻輳状態のときに新たに加入者への着呼が有った場合に、前記第３の記憶手段の記憶内容に基づいて、既に通話中の呼のうち今回の着呼加入者より優先接続クラスが低く、かつ非緊急呼がある場合には該非緊急呼のいずれかを切断対象呼として選択して、該切断対象呼に割り当てられている無線チャネルを強制的に切断し、該切断された無線チャネルを前記着呼に割り当て、また既に通話中の呼のうちに今回の着呼加入者より優先接続クラスが低く、かつ非緊急呼である加入者の呼がない場合には、前記着呼を拒否するように制御する無線チャネル接続制御手段と、を有することを特徴とする。
【００２９】
請求項５、７に記載の発明によれば、無線チャネルが輻輳状態であっても、緊急を要する相手先に電話する加入者からの発呼要求が有った場合、あるいは現在通話中の非緊急呼より優先接続の順位が高い非緊急呼があった場合に、他の通話中の加入者より優先して接続することが可能となる。
【００３０】
請求項６、８に記載の発明によれば、無線チャネルが輻輳状態であっても、現在通話中の非緊急呼より優先接続の順位が高い加入者への着呼があった場合に、他の通話中の加入者より優先して接続することが可能となる。
【００３３】
【発明の実施の形態】
以下、本発明の実施の形態を、図面を参照して詳細に説明する。本発明の実施の形態に係る無線加入者システムの概略構成を図１に示す。同図において、公衆交換電話網１０に設けられた交換機１２は加入者回線Ａ，Ｂ等の加入者線、アクセスネットワークとしての無線加入者システム２０を介して加入者宅内の電話機３０Ａ，３０Ｂ，…，に接続されている。
【００３４】
無線加入者システム２０は、加入者回線を介して交換機１２と接続されているアクセスコントローラ（ＡＣ）２２と、アクセスコントローラ（ＡＣ）２２と接続され、加入者無線装置との間に設定される無線チャネルの接続制御を行う無線基地局（ＢＳ）２４と、加入者端末としての加入者無線装置ＳＵ−Ａ（ユーザＡ），ＳＵ−Ｂ（ユーザＢ），…とを有している。
【００３５】
加入者無線装置ＳＵ−Ａ，ＳＵ−Ｂ，…は、それぞれ各加入者宅内に設置され、各加入者無線装置ＳＵ−Ａ，ＳＵ−Ｂ，…には、対応する電話機３０Ａ，３０Ｂ，…が、それぞれ接続されている。ここで、ユーザＢは緊急を要する相手先に電話をする加入者、または優先接続の順位、すなわち優先接続クラスが高い加入者であり、ユーザＡは加入者Ｂより優先接続クラスが低く、かつ非緊急呼として通話中の加入者であるとする。また、加入者Ａの宅内に設置される加入者無線装置ＳＵ−Ａは加入者回線Ａに接続され、加入者Ｂの宅内に設置される加入者無線装置ＳＵ−Ｂは加入者回線Ｂに接続されるように加入者回線と加入者無線装置は１対１に対応している。
【００３６】
次にアクセスコントローラ（ＡＣ）２２と無線基地局２４の具体的構成を図２に示す。同図において、アクセスコントローラ（ＡＣ）２２は、交換機１２からの呼出信号（Ｒｉｎｇ）を検出し、この呼出信号に含まれる加入者情報を抽出する呼出信号検出部４０と、発呼または着呼が発生した際に、その呼の接続を受け入れるか拒否するかを判定し、無線チャネル資源を管理する優先順位判定処理部４２と、加入者毎の無線チャネルの接続における優先接続クラスを、加入者を特定する加入者識別情報に対応づけて予め登録される加入者優先接続クラスデータベース４４と、緊急を要する相手先の電話番号である緊急電話番号及び無線チャネル数（緊急呼のために使用する予約無線チャネル数、無線加入者システムにより設定可能な全無線チャネル数、使用中の無線チャネル数の各データをいうものとする。）を記憶する緊急電話番号／無線チャネル数記憶装置４６と、発呼要求が有った場合に、この発呼要求に基づいてダイヤルされた電話番号をモニタし、該電話番号が、登録された緊急を要する特定の相手先の電話番号と一致するか否かにより緊急呼であるか否かを判定するダイヤル情報モニタ及び緊急／非緊急呼判定部４８とを有している。
【００３７】
呼出信号検出部４０は本発明の加入者識別情報抽出手段に、優先順位判定処理部４２は本発明の第２の判定手段に、加入者優先接続クラスデータベース４４は本発明の第２の記憶手段に、緊急電話番号／無線チャネル数記憶装置４４は本発明の第１の記憶手段に、緊急電話番号／無線チャネル数記憶装置４６は本発明の第１の記憶手段に、ダイヤル情報モニタ及び緊急／非緊急呼判定部４８は本発明の第１の判定手段に、それぞれ相当する。
【００３８】
また無線基地局２４は、無線チャネルの接続、切断に関する制御メッセージや音声情報を加入者無線装置との間で送受信する無線送受信回路５０と、加入者無線装置と送受信する制御メッセージを処理するメッセージプロトコル処理部５２と、通話中の呼に関連する情報、具体的には、すべての通話中の呼（話中呼）について、通話中の呼の加入者を特定する加入者識別情報と、その加入者の通話時間、優先接続クラスデータ、緊急呼か非緊急呼かを識別する識別情報とを管理、記憶する通話中呼情報管理データベース５４と、通話中の呼の通話時間を計測し、通話中呼情報管理データベース５４に出力するタイマ（または時計）等の計時装置５６とを有している。
【００３９】
尚、緊急電話番号／無線チャネル数記憶装置４６を本実施の形態ではアクセスコントローラ（ＡＣ）２２内に設けているが、無線基地局２４内に設けるようにしてもよい。アクセスコントローラ（ＡＣ）２２と無線基地局２４は本発明の回線接続制御装置に、通話中呼情報管理データベース５４は本発明の第３の記憶手段に、それぞれ相当する。またメッセージプロトコル処理部５２には発呼時に発呼メッセージから加入者識別情報を抽出する本発明の加入者識別情報抽出手段が含まれる。また優先順位判定処理部４２及びメッセージプロトコル処理部５２は本発明の無線チャネル接続制御手段に相当する。
【００４０】
上記構成からなる無線加入者システム２０における無線チャネルが、輻輳状態である場合の制御動作の一例について図３乃至図５を参照して説明する。図３及び図４は加入者端末としての加入者無線装置に対して着呼が有った場合における優先接続処理について示し、図５はそのときの制御シーケンスを示している。
上記構成において、いま加入者回線ＡとユーザＡ（電話機３０Ａ）とが通話中であり、この状態でユーザＢへの着呼が発生すると、加入者回線Ｂを介して交換機１２より呼出信号（Ｒｉｎｇ）が出力される。この呼出信号は呼出信号検出部４０により検出され、呼出信号検出部４０は呼出信号より加入者に固有の加入者識別情報（本実施の形態ではＰＳＩＤ（Personal Station ＩＤ）が相当する。）を抽出し、加入者識別情報を優先順位判定処理部４２に出力する（ステップ１００）。
【００４１】
次いで優先順位判定処理部４２では、加入者識別情報に基づいて加入者優先接続クラスデータベース４４を検索し、着呼した加入者無線装置（本実施の形態では加入者無線装置ＳＵ−Ｂ）の優先接続順位、すなわち優先接続クラスを求め、その判定結果を通話中呼情報管理データベース５４に登録する（ステップ１０２）。
また、通話中呼情報管理データベース５４では、メッセージプロトコル処理部５２より通話中の呼の加入者識別情報を、また計時装置５６より通話中の各呼（加入者無線装置）の通話時間を示すデータをそれぞれ、受け取り、加入者識別情報と、該加入者識別情報により特定される呼の通話時間とを対応づけて記憶する。また、通話中呼情報管理データベース５４は、通話中の各呼の優先接続クラスデータ及び緊急呼であるか非緊急呼であるかを示す識別情報を優先順位判定処理部を介して加入者優先接続クラスデータベース４４、ダイヤル情報モニタ及び緊急／非緊急呼判定部４８より受け取り、加入者識別情報と対応づけて記憶する。
【００４２】
ダイヤル情報モニタ及び緊急／非緊急呼判定部４８では、無線チャネル資源に空きが有るか否か、換言すれば、無線チャネルは輻輳状態であるか否かを判定する（ステップ１０４）。  ダイヤル情報モニタ及び緊急／非緊急呼判定部４８は、緊急電話番号／無線チャネル数記憶装置４６の記憶内容、すなわち、緊急呼のために使用する予約無線チャネルチャネル数、無線加入者システムにより設定可能な全無線チャネル数、現在、使用中の無線チャネル数の各データを参照し、使用中の無線チャネル数が全無線チャネル数から予約無線チャネル数を減算した値以上である場合には無線チャネルは輻輳状態であると判定し、そうでない場合は輻輳状態ではない、と判定する。無線チャネル資源に空きが有る場合には、空きチャネルのうちの１つを加入者回線Ｂを介して発生した着呼（本実施の形態では、例えば、ユーザＢの加入者無線装置ＳＵ−Ｂへの着呼）に割り当て（ステップ１２０）、処理はステップ１１８に移行する。
【００４３】
一方、ステップ１０４で無線チャネル資源に空きがない、すなわち無線チャネルが輻輳状態であると判定された場合には、優先順位判定処理部４２は、通話中呼情報管理データベース５４を検索し、通話中の呼のうち今回の着呼加入者より優先接続クラスが低く、かつ非緊急呼である呼を抽出する（ステップ１０６）。
次いで優先順位判定処理部４２は、着呼先であるユーザＢ（加入者無線装置ＳＵ−Ｂ）の優先接続クラスより低い優先接続クラスに属し、かつ非緊急呼である加入者の通話中の呼が有るか否かを判定し（ステップ１０８）、着呼先であるユーザＢ（加入者無線装置ＳＵ−Ｂ）の優先接続クラスより低い優先接続クラスに属し、かつ非緊急呼である加入者の通話中の呼がないと判定した場合には、着呼に対し応答せず、この処理の実行を終了する（ステップ１２２）。
【００４４】
また優先順位判定処理部４２は、着呼先であるユーザＢ（加入者無線装置ＳＵ−Ｂ）の優先接続クラスより低い優先接続クラスに属し、かつ非緊急呼である加入者の通話中の呼が有ると判定した場合には、着呼先であるユーザＢ（加入者無線装置ＳＵ−Ｂ）の優先接続クラスより低い優先接続クラスに属し、かつ非緊急呼である加入者の通話中の複数の呼のうち最も通話時間の長い呼を切断対象呼として選択し、選択した切断対象呼（本実施の形態では、加入者無線装置ＳＵ−Ａによる呼）に優先接続される呼の発生より切断されることを報知する特殊トーンを一定時間、送出する（ステップ１１０、１１２）。次いで選択した通話中の呼を切断して無線チャネル資源を予約する（ステップ１１４）。
【００４５】
この加入者回線Ａに終了信号（オンフック）が出力され、メッセージプロトコル処理部５２より無線送受信回路５０を介して加入者無線装置ＳＵ−Ａに無線チャネル切断メッセージが出力される。無線チャネル切断メッセージを受信した加入者無線装置ＳＵ−Ａは、ビジートーンを生成しユーザＡの電話機３０Ａに送出し、ユーザＡに無線チャネルが切断されたことを知らせる。ユーザＡは、電話機３０Ａの受話器を置き（オンフック）、通話が終了する。
次いで加入者無線装置ＳＵ−Ａは無線チャネル切断完了メッセージを無線送受信回路５０に送出し、無線基地局２４では、メッセージプロトコル処理部５２が、無線送受信回路５０より無線チャネル切断完了メッセージを受け取り無線チャネル切断処理を行う。
【００４６】
更に無線基地局２４側からは、メッセージプロトコル処理部５２より無線送受信回路５０を介して着呼（Ｐａｇｉｎｇ）メッセージが加入者無線装置ＳＵ−Ｂに送出され、また加入者無線装置ＳＵ−Ｂは、着呼を受け付けるために無線基地局２４側に加入者識別情報（例えばＰＳＩＤ）を含むリンクチャネル確立要求メッセージを送出する。このＰＳＩＤ（Personal Station ＩＤ）は加入者毎に固定的に割り当てられる端末識別値である。
【００４７】
更に優先順位判定処理部４２は、予約した無線チャネル資源をユーザＢ（加入者無線装置ＳＵ−Ｂ）への着呼に割り当て、着呼端末である加入者無線装置ＳＵ−Ｂにリンクチャネル割当メッセージを送出する（ステップ１１６）。
次いで無線基地局２４と着呼加入者端末である加入者無線装置ＳＵ−Ｂとの間で通常の着呼処理、すなわち呼設定、呼出メッセージの送出が行われ、加入者無線装置ＳＵ−ＢよりユーザＢの電話機３０Ｂに呼出信号（Ｒｉｎｇ）が出力される（ステップ１１８）。その後、ユーザＢの電話機３０Ｂより加入者無線装置ＳＵ−Ｂに応答通知（オフフック）がなされ、加入者無線装置ＳＵ−Ｂから無線基地局２４側に接続メッセージが送出されると共に、アクセスコントローラ２２より加入者回線Ｂに応答通知（オフフック）が送出され、加入者回線ＢとユーザＢの電話機３０Ｂとが通話状態に移行する。
【００４８】
次に、無線加入者システム２０における無線チャネルが輻輳状態である場合の制御動作の他の例について図６乃至図９を参照して説明する。図６乃至図８は無線チャネルが輻輳状態である状態下において、加入者端末としての加入者無線装置から通常の呼、すなわち、非緊急呼、または緊急呼が発生した場合における無線チャネルの接続、切断制御について示し、図９はそのときの制御シーケンスを示している。
【００４９】
上記構成において、いま加入者回線ＡとユーザＡ（電話機３０Ａ）とが通話中であり、ユーザＢが電話機３０Ｂの受話器を上げることにより２線アナログ回線がオフフックされ、発呼通知が加入者無線装置ＳＵ−Ｂに出力される。
加入者無線装置ＳＵ−Ｂは、発呼通知（オフフック）を検出すると、無線基地局２４の無線送受信回路５０に発呼端末としての加入者無線装置ＳＵ−Ｂの加入者識別情報（本実施の形態ではＰＳＩＤ）を含むリンクチャネル確立要求メッセージを出力する。このＰＳＩＤ（Personal Station ＩＤ）は加入者毎に固定的に割り当てられる端末識別値である。
【００５０】
無線基地局２４の無線送受信回路５０はリンクチャネル確立要求メッセージを受信し、メッセージプロトコル処理部５２に送出する（ステップ２００）。メッセージプロトコル処理部５２では、リンクチャネル確立要求メッセージから加入者無線装置ＳＵ−Ｂの加入者識別情報（ＰＳＩＤ）を抽出し、該加入者識別情報を通話中呼情報管理データベース５４及び優先順位判定処理部４２に出力する。
【００５１】
優先順位判定処理部４２では加入者識別情報に基づいて加入者優先接続クラスデータベース４４を検索し、発呼した加入者無線装置（本実施の形態では加入者無線装置ＳＵ−Ｂ）の優先順位、すなわち優先接続クラスを求める（ステップ２０２）。
一方、通話中呼情報管理データベース５４では、メッセージプロトコル処理部５２より通話中の呼の加入者識別情報を、また計時装置５６より通話中の各呼（加入者無線装置）の通話時間を示すデータをそれぞれ、受け取り、加入者識別情報と、該加入者識別情報により特定される呼の通話時間とを対応づけて記憶する。また、通話中呼情報管理データベース５４は、通話中の各呼の優先接続クラスデータ及び緊急呼であるか非緊急呼であるかを示す識別情報を優先順位判定処理部を介して加入者優先接続クラスデータベース４４、ダイヤル情報モニタ及び緊急／非緊急呼判定部４８より受け取り、加入者識別情報と対応づけて記憶する。
【００５２】
次に、ダイヤル情報モニタ及び緊急／非緊急呼判定部４８ではチャネル資源に空きが有るか否か、すなわち無線チャネルは輻輳状態であるか否かを判定する（ステップ２０４）。すなわち、ダイヤル情報モニタ及び緊急／非緊急呼判定部４８は、緊急電話番号／無線チャネル数記憶装置４６の記憶内容、すなわち、緊急呼のために使用する予約無線チャネルチャネル数、無線加入者システムにより設定可能な全無線チャネル数、現在、使用中の無線チャネル数の各データを参照し、使用中の無線チャネル数が全無線チャネル数から予約無線チャネル数を減算した値以上である場合には無線チャネルは輻輳状態であると判定し、そうでない場合は輻輳状態ではないと判定する。
【００５３】
ここでステップ２０４の判定が肯定された場合、すなわち無線チャネルが輻輳状態でない場合には、ステップ２３０で空きチャネル（全無線チャネル数から予約無線チャネル数を減算したチャネル数の範囲内における空きチャネル）のうちの１つを発呼要求している呼に割り当て、次いで発呼要求した加入者端末にリンクチャネル割当メッセージを送出し（ステップ２３６）、この処理を終了する。
【００５４】
他方、ステップ２０４の判定が否定された場合、すなわち無線チャネルが輻輳状態である場合には、次のステップ２０６で優先順位判定処理部４２は、通話中呼情報管理データベース５４を検索し、この検索結果から通話中の呼のうち今回の発呼加入者より優先接続クラスが低く、かつ非緊急呼である加入者の呼が有るか否かを判定する。この判定が肯定された場合は、処理はステップ２３８に移行する。
【００５５】
一方、ステップ２０６の判定が否定された場合、すなわち優先順位判定処理部４２が通話中の呼のうち今回の発呼加入者より優先接続クラスが低く、かつ非緊急呼である加入者の呼がないと判定した場合には、優先順位判定処理部４２は、ダイヤル情報モニタ及び緊急／非緊急呼判定部４８を介して緊急電話番号／無線チャネル数記憶装置４６の記憶内容を参照し、予約無線チャネルに空きが有るか否かを判定する（ステップ２０８）。ステップ２０８の判定が否定された場合には、リンクチャネル割当拒否メッセージを発呼要求している加入者無線装置ＳＵ−Ｂに送出し、この処理の実行を終了する（ステップ２３２）。
【００５６】
一方、ステップ２０８の判定が肯定された場合には、ステップ２１０で予約無線チャネルのうちの１つを発呼要求している呼に割り当て、この発呼要求している加入者無線装置ＳＵ−Ｂにリンクチャネル割当メッセージ送出する（ステップ２１２）。このリンクチャネルの割当後に基地局２４と加入者無線装置ＳＵ−Ｂとの間で同期バースト信号の送受信を行い、次いで加入者無線装置ＳＵ−Ｂより基地局２４側に基地局側が非同期平衡モードで動作させるためのＳＡＢＭ（Set Asynchronous Balanced Mode）コマンドが送出される。その後、基地局２４からＳＡＢＭコマンドを受け入れる旨、報告するＵＡ（Unnumbered  Acknowledge）レスポンスを加入者無線装置ＳＵ−Ｂに送出する。この結果、基地局２４側と加入者無線装置ＳＵ−Ｂとの間でデータリンクが確立される。
【００５７】
次いでステップ２１４で呼設定処理を行う。すなわち、まず加入者無線装置ＳＵ−Ｂより呼設定メッセージが基地局２４側に送出され、発信要求がなされる。これに対して基地局２４側では、発信者の加入者データをチェックし、発信状態であれば、呼設定受付メッセージを加入者無線装置ＳＵ−Ｂに返送する。
次いで呼出メッセージ、応答メッセージが基地局２４から加入者無線装置ＳＵ−Ｂに送出され、この後に発呼通知（オフフック）が基地局２４、アクセスコントローラ２２により加入者回線Ｂに送出される。この結果、加入者回線Ｂ側からユーザＢの電話機３０Ｂに発信音が出力される。
【００５８】
ユーザＢはダイアルすることによりＤＴＭＦトーン（またはパルス）がダイヤル情報として電話機３０Ｂより加入者回線Ｂに送出される。このときアクセスコントローラ２２内のダイヤル情報モニタ及び緊急／非緊急呼判定部４８ではＤＴＭＦトーンによる電話番号の各桁毎に最後の桁までモニタし（ステップ２１６）、緊急電話番号／無線チャネル数記憶装置４６の記憶内容を参照して緊急電話番号として登録されている電話番号に該当するか否かチェックし、ユーザＢによる発呼が緊急呼であるか否かを判定する（ステップ２１８）。
【００５９】
ステップ２１８の判定が否定された場合、すなわちユーザＢによる発呼が緊急呼でないと判定された場合には、ステップ２３４でこの無線チャネルの切断処理がなされ、この処理を終了する。
またステップ２１８の判定が肯定された場合、すなわちユーザＢによる発呼が緊急呼であると判定された場合には、今回の発呼を緊急呼として通話中呼情報管理データベース５４に登録し、この呼を継続させるべく最後のダイヤル操作が終了した時点で加入者線Ｂ側からユーザＢの電話機３０Ｂに呼出音が送出され、通話状態に移行する（ステップ１０５）。
【００６０】
次いで優先順位判定処理部４２は、通話中呼情報管理データベース５４を検索して、通話中の呼のうち非緊急呼で、かつ最も優先接続クラスが低く、かつ最も通話時間の長い呼を切断対象呼として選択し、選択した切断対象呼をメッセージプロトコル処理部５２に報告する（ステップ２２２）。本実施の形態では、加入者回線Ａと接続されたユーザＡによる呼が切断対象呼として選択される。
次いで切断対象呼の通話者の両者、すなわちユーザＡ側と加入者回線Ａ側に緊急呼の発生により無線チャネルが切断されることを示す特殊トーンが基地局２４側より、具体的にはメッセージプロトコル処理部５２より出力される（ステップ２２４）。
【００６１】
次いで加入者回線Ａと加入者無線装置ＳＵ−Ａとの間に設定された無線チャネルの切断処理が行われる（ステップ２２６、２２８）。すなわち、基地局２４側から加入者回線Ａには終了信号（オンフック）が出力され、同時に加入者無線装置ＳＵ−Ａには切断メッセージが送出される（ステップ２２６）。これに対して加入者無線装置ＳＵ−Ａは、基地局２４側に呼解放のための解放メッセージを送出し、同時にユーザＡの電話機３０Ａにビジートーンを送出する。この後に基地局２４側から解放完了メッセージが加入者無線装置ＳＵ−Ａに送出され、加入者無線装置ＳＵ−Ａから基地局２４側にＤＩＳＣ（DISConnect）コマンドが送出される（ステップ２２８）。
【００６２】
これに対して基地局２４側からＤＩＳＣコマンドを受け入れたことを報告するＵＡ（Ｕnnumbered Ａcknowledge）レスポンスが加入者無線装置ＳＵ−Ａに送出される。この結果、上記無線チャネルは解放される。この結果、緊急呼のために用意された予約無線チャネル数が元に戻る。すなわち、予約無線チャネルのすべてが確保された状態に戻る。ビジートーンに応じてユーザＡがオンフックすると、電話機Ａより加入者無線装置ＳＵ−Ａに終了信号（オンフック）が出力される。
【００６３】
一方、図６のステップ２０６で通話中のうち今回の発呼加入者より優先接続クラスが低く、かつ非緊急呼である加入者の呼が有ると判定された場合には、ステップ２３８で、優先順位判定処理部４２は、通話中呼情報管理データベース５４を検索し、通話中のうち今回の発呼加入者より優先接続クラスが低く、かつ非緊急呼である加入者の呼のうち最も通話時間の長いを切断対象呼として選択し、メッセージプロトコル処理部５２に報告する。
【００６４】
次いで切断対象呼に割り当てられている無線チャネルを、今回の発呼用として予約し、切断対象呼の通話者の両者に優先接続される呼の発生により切断されることを報知する特殊音を一定時間、送出する（ステップ２４０、２４２）。一定時間経過後、切断対象呼の交換機側の回線をオンフックし（ステップ２４４）、無線基地局２４から切断対象呼の加入者無線装置に対して設定されている無線チャネルの切断処理が行われる（ステップ２４６）。そしてこの切断処理により解放された無線チャネルを今回の発呼のために割り当て（ステップ２４８）、今回の発呼要求している加入者無線装置にリンクチャネル割当メッセージを送出し、この処理の実行を終了する（ステップ２５０）。
【００６５】
図１から図１２に示した、加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムの回線接続装置において、該回線接続制御装置は、優先接続する順位を示す優先接続クラスデータ及び加入者を特定するための加入者識別情報を対応づけて予め登録しておき、かつ緊急を要する特定の相手先の電話番号を予め登録しておくと共に、無線チャネルが輻輳状態である場合において、新たに加入者より発呼要求、または加入者への着呼が有った場合に、現在通話中の呼について前記優先接続クラスの高低及び緊急性を有する呼である緊急呼であるか否かの判定に基づいて前記発呼要求または着呼に対する接続処理を行なうことを特徴とする無線加入者システムの回線接続制御装置の機能を実現するためにコンピュータにより実行させるためのプログラムをコンピュータにより読み取り可能な記録媒体に記録して、この記録媒体に記録されたプログラムをコンピュータシステムに読み込ませ、実行することにより、無線加入者システムの回線接続制御装置の機能を実現してもよい。
【００６６】
なお、ここでいう「コンピュータシステム」とは、マイクロプロセッサ等による組み込みシステムとして実現する場合や、ＯＳや周辺機器等のハードウェアとして実現する場合を含むものとする。また「コンピュータにより読み取り可能な記録媒体」とは、フロッピーディスク、光磁気ディスク等の可搬媒体、コンピュータシステムに内蔵されるＲＯＭ、ＲＡＭ、ハードディスク等の記憶装置のことをいう。
【００６８】
また上記プログラムは、前述した機能の一部を実現するためのものであっても良い。さらに、前述した機能をコンピュータシステムに既に記録されているプログラムとの組み合わせで実現できるもの、所謂差分ファイル（差分プログラム）であってもよい。
【００６９】
以上に説明したように本発明の実施の形態に係る無線加入者システムによれば、加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムにおいて、前記回線接続制御装置は、優先接続する順位を示す優先接続クラスデータ及び加入者を特定するための加入者識別情報を対応づけて予め登録しておき、かつ緊急を要する特定の相手先の電話番号を予め登録しておくと共に、無線チャネルが輻輳状態である場合において、新たに加入者より発呼要求、または加入者への着呼が有った場合に、現在通話中の呼について前記優先接続クラスの高低及び緊急性を有する呼である緊急呼であるか否かの判定に基づいて前記発呼要求または着呼に対する接続処理を行なうようにしたので、無線チャネルが輻輳状態であっても、緊急を要する相手先に電話する加入者からの発呼要求（緊急呼）が有った場合、あるいは優先接続すべき加入者への着呼が有った場合に、緊急呼、優先接続すべき加入者の呼のために無線チャネルを確実に割り当てることでき、通常の呼（非緊急呼）と、緊急呼及び優先接続すべき加入者の呼とを区別することなく収容することができる。このためチャネル資源を有効活用することができる。
【００７０】
また、本発明の実施の形態に係る無線加入者システムによれば、加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムにおいて、前記回線接続制御装置は、優先接続する順位を示す優先接続クラスデータ及び加入者を特定するための加入者識別情報を対応づけて予め登録しておき、かつ緊急を要する特定の相手先の電話番号を予め登録しておくと共に、通常の運用状態では加入者の発呼に対し割り当てず、緊急を要する呼である緊急呼のために使用する複数の予約無線チャネルを設けておき、無線チャネルが輻輳状態である場合において、新たに加入者より発呼要求が有った場合に、既に通話中の呼のうち今回の発呼加入者より優先接続クラスが低く、かつ緊急を要しない呼である非緊急呼がある場合には該非緊急呼のいずれかを切断対象呼として選択して、該切断対象呼に割り当てられている無線チャネルを強制的に切断し、該切断された無線チャネルを前記発呼要求のあった呼に割り当て、また既に通話中の呼のうちに今回の発呼加入者より優先接続クラスが低く、かつ緊急を要しない呼である非緊急呼である加入者の呼がない場合には、前記複数の予約無線チャネルのうちの１つを前記発呼要求のあった呼に一旦、割り当て、該発呼要求の有った呼が、緊急呼である場合にはその呼を継続させ、かつ現在通話中の呼のうち非緊急呼で、かつ最も優先接続クラスが低い呼のいずれかに割り当てられた無線チャネルを強制的に切断して解放し、前記発呼要求の有った呼が、非緊急呼である場合には前記一旦、割り当てた予約無線チャネルを強制的に切断し、解放するようにしたので、無線チャネルが輻輳状態であっても、緊急を要する相手先に電話する加入者からの発呼要求が有った場合、あるいは現在通話中の非緊急呼より優先接続の順位が高い非緊急呼があった場合に、他の通話中の加入者より優先して接続することが可能となる。
【００７１】
また、本発明の実施の形態に係る無線加入者システムによれば、加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムにおいて、前記回線接続制御装置は、無線チャネルが輻輳状態である場合において、新たに加入者への着呼が有った場合に、既に通話中の呼のうち今回の着呼加入者より優先接続クラスが低く、かつ緊急を要しない呼である非緊急呼がある場合には該非緊急呼のいずれかを切断対象呼として選択して、該切断対象呼に割り当てられている無線チャネルを強制的に切断し、該切断された無線チャネルを前記着呼に割り当て、また既に通話中の呼のうちに今回の着呼加入者より優先接続クラスが低く、かつ非緊急呼である加入者の呼がない場合には、前記着呼を拒否するようにしたので、無線チャネルが輻輳状態であっても、現在通話中の非緊急呼より優先接続の順位が高い加入者への着呼があった場合に、他の通話中の加入者より優先して接続することが可能となる。
【００７２】
また、本発明の実施の形態に係る無線加入者システムによれば、加入者宅内に設置され電話機と接続される加入者無線装置と、公衆交換電話網の交換機に加入者回線を介して接続され加入者無線装置との間に設定される無線チャネル及び前記加入者回線の接続制御を行う回線接続制御装置とを有する無線加入者システムの回線接続装置において、該回線接続制御装置は、優先接続する順位を示す優先接続クラスデータ及び加入者を特定するための加入者識別情報を対応づけて予め登録しておき、かつ緊急を要する特定の相手先の電話番号を予め登録しておくと共に、無線チャネルが輻輳状態である場合において、新たに加入者より発呼要求、または加入者への着呼が有った場合に、現在通話中の呼について前記優先接続クラスの高低及び緊急性を有する呼である緊急呼であるか否かの判定に基づいて前記発呼要求または着呼に対する接続処理を行なうことを特徴とする無線加入者システムの回線接続装置の機能をコンピュータにより実行させるためのプログラムをコンピュータにより読み取り可能な記録媒体に記録するようにしたので、この記録媒体に記録されたプログラムをコンピュータシステムに読み込ませ、実行することにより、無線チャネルが輻輳状態であっても、緊急を要する相手先に電話する加入者からの発呼要求（緊急呼）が有った場合、あるいは優先接続すべき加入者への着呼が有った場合に、緊急呼、優先接続すべき加入者の呼のために無線チャネルを確実に割り当てることでき、通常の呼（非緊急呼）と、緊急呼及び優先接続すべき加入者の呼とを区別することなく収容することができる。このためチャネル資源を有効活用することができる。
【００７３】
【発明の効果】
以上に説明したように、本発明は以下の効果を奏する。
【００７４】
請求項１、３に記載の発明によれば、無線チャネルが輻輳状態であっても、緊急を要する相手先に電話する加入者からの発呼要求が有った場合、あるいは現在通話中の非緊急呼より優先接続の順位が高い非緊急呼があった場合に、他の通話中の加入者より優先して接続することが可能となる。
【００７５】
また請求項２、４に記載の発明によれば、無線チャネルが輻輳状態であっても、現在通話中の非緊急呼より優先接続の順位が高い加入者への着呼があった場合に、他の通話中の加入者より優先して接続することが可能となる。
【００７７】
また請求項５、７に記載の発明によれば、無線チャネルが輻輳状態であっても、緊急を要する相手先に電話する加入者からの発呼要求が有った場合、あるいは現在通話中の非緊急呼より優先接続の順位が高い非緊急呼があった場合に、他の通話中の加入者より優先して接続することが可能となる。
【００７８】
また請求項６、８に記載の発明によれば、無線チャネルが輻輳状態であっても、現在通話中の非緊急呼より優先接続の順位が高い加入者への着呼があった場合に、他の通話中の加入者より優先して接続することが可能となる。
【図面の簡単な説明】
【図１】  本発明の実施の形態に係る無線加入者システムの概略構成を示すブロック図。
【図２】  図１における無線加入者システムにおけるアクセスコントローラ及び無線基地局の具体的構成を示すブロック図。
【図３】  図２に示す無線加入者システムにおけるアクセスコントローラ及び無線基地局の制御動作の一例を示すフローチャート。
【図４】  図２に示す無線加入者システムにおけるアクセスコントローラ及び無線基地局の制御動作の一例を示すフローチャート。
【図５】  図２に示す無線加入者システムの制御動作の一例を示すシーケンス図。
【図６】  図２に示す無線加入者システムにおけるアクセスコントローラ及び無線基地局の制御動作の他の例を示すフローチャート。
【図７】  図２に示す無線加入者システムにおけるアクセスコントローラ及び無線基地局における制御動作の他の例を示すフローチャート。
【図８】  図２に示す無線加入者システムにおけるアクセスコントローラ及び無線基地局の制御動作の他の例を示すフローチャート。
【図９】  図２に示す無線加入者システムの制御動作の他の例を示すシーケンス図。
【図１０】従来の無線加入者システムの構成を示すブロック図。
【図１１】図１０に示す従来の無線加入者システムの制御動作の一例を示すフローチャート。
【図１２】図１０に示す従来の無線加入者システムの制御動作の他の例を示すフローチャート。
【符号の説明】
１０  公衆交換電話網
１２  交換機
２０  アクセスネットワーク
２２  アクセスコントローラ（回線接続制御装置）
２４  無線基地局
３０Ａ，３０Ｂ  電話機
ＳＵ−Ａ，ＳＵ−Ｂ  加入者無線装置
４０  呼出信号検出部
４２  優先順位判定処理部
４４  加入者優先接続クラスデータベース
４６  緊急電話番号／無線チャネル数記憶装置
４８  ダイヤル情報モニタ及び緊急／非緊急呼判定部
５０  無線送受信回路
５２  メッセージプロトコル処理部
５４  通話中呼情報管理データベース
５６  計時装置
【図１】
0004267154.tif 000002
【図２】
0004267154.tif 000003
【図３】
0004267154.tif 000004
【図４】
0004267154.tif 000005
【図５】
0004267154.tif 000006
【図６】
0004267154.tif 000007
【図７】
0004267154.tif 000008
【図８】
0004267154.tif 000009
【図９】
0004267154.tif 000010
【図１０】
0004267154.tif 000011
【図１１】
0004267154.tif 000012
【図１２】
0004267154.tif 000013